(57)【要約】      （修正有）【課題】所定サイズに加工した用紙（規格外の大きさの厚紙）を用いて複写機や複合機により複写・印刷して、正確にＡ４サイズやＢ５サイズなどの規格サイズの大きさの冊子用ファイルを提供する。【解決手段】長方形サイズの一方の隣接する短辺側のＸ辺と長辺側のＹ辺のみ拡幅されており、かつ、切取り線４ｍや折畳み線５ｓが施されるか、または、冊子用ファイル３の拡幅部を有する紙を市販の複写機により複写・印刷してから、切取り線４ｍや折畳み線５ｓに沿って切り取るとともに折り畳んで所定サイズの冊子用ファイル３として組み立てたり、及び／又は、冊子用ファイル３の拡幅部を切取り重ね合わせて組み立てる。【選択図】図１
2018192663.tif 000002
【特許請求の範囲】
【請求項１】
Ａ４サイズやＢ４サイズなどの紙の規格サイズよりも大きな長方形状の紙であって、Ａ４サイズやＢ４サイズなどの紙の規格サイズに対応した箇所よりも外側に拡幅部が設けられているとともに、前記拡幅部にのみ切取り線又は折畳み線が形成されていることを特徴とする冊子用ファイル。
【請求項２】
Ａ４サイズやＢ４サイズなどの紙の規格サイズよりも大きな長方形状の紙であって、長方形サイズの隣接する短辺側のＸ辺と長辺側のＹ辺の一方に係止用凸部が設けられており、前記Ｘ辺とＹ辺の他方に対応する係止溝が形成されており、これらを係止してコーナーにポケット部を形成して冊子用ファイルとして組み立てられることを特徴とする冊子用ファイル。
【請求項３】
前記冊子用ファイルは、長方形サイズの隣接する短辺側のＸ辺と長辺側のＹ辺に各々対応する名刺やカードを挟み込むための係止溝が設けられていることを特徴とする請求項１又は２記載の冊子用ファイル。
【請求項４】
前記冊子用ファイルは、長方形サイズの隣接する短辺側のＸ辺と長辺側のＹ辺の一方に紙製ファイとしての組み立てたときに、表紙側を係止するための係止溝が形成されていることを特徴とする請求項１又は２記載の冊子用ファイル。
【請求項５】
Ａ４サイズやＢ４サイズなどの所定の規格サイズにはカラー印刷などの色調等を高めるための印刷用コーティング剤が塗布されていることを特徴とする請求項１ないし４のいずれか１項記載の冊子用ファイル。
【請求項６】
Ａ４サイズやＢ４サイズなどの所定の規格サイズよりも大きな長方形状の紙であって、長方形サイズの外周に拡幅部を設けるとともに、前記拡幅部に切取り線や折畳み線を形成して、複写機・複合機により複写・印刷してから、前記拡幅部に沿って切り取ったり折畳むようにして所定サイズの冊子用ファイルとして組み立てることを特徴とする冊子用ファイルの製造方法。
【請求項７】
前記長方形サイズの一方の隣接する短辺側のＸ辺と長辺側のＹ辺のみ拡幅されており、前記切取り線や折畳み線は、前記拡幅部のみに形成することを特徴とする請求項６記載の冊子用ファイルの製造方法。
【請求項８】
市販の複写機により複写・印刷するに際して、前記長辺側のＹ辺に拡幅部の他に切取り部が設けられており、この切取り部を複写機・複合機による複写・印刷方向の前方側にすることを特徴とする請求項６記載の冊子用ファイルの製造方法。
【請求項９】
市販の複写機により複写・印刷するに際して、前記一方の隣接するＸ辺とＹ辺の一方に係止用凸部が設けられており、前記Ｘ辺とＹ辺の他方に対応する係止溝が形成されており、これら係止用凸部と係止溝の位置を印刷方向の後方側にすることを特徴とする請求項６記載の冊子用ファイルの製造方法。
【請求項１０】
Ａ４サイズやＢ４サイズなどの所定の規格サイズには、カラー印刷などの色調等を高めるための印刷用コーティング剤が塗布され、複写機・複合機による複写・印刷することを特徴とする請求項６ないし９のいずれか１項記載の冊子用ファイル。
【発明の詳細な説明】
【技術分野】
【０００１】
本発明は、紙や書類をファイルするときに使用する冊子用ファイル及びその製造方法に関する。
【背景技術】
【０００２】
コピー機などの複写機や複合機では、紙のサイズは大きく分けてＡ判とＢ判の２つの系列のものが通常使用されている。身近によくある規格サイズとしてはＡ３・Ａ４・Ｂ５・Ａ６であり、Ａ３・Ａ４はコピー用紙やプリンタの出力用紙として、Ｂ５は週刊誌や漫画雑誌のサイズとして、Ａ６は文庫本のサイズなどで使用されることが多い。
一方、紙や書類をファイルする簡易的な冊子用ファイルが各種事務処理等において多用されている。この冊子用ファイルは、長方形からなる一方の長辺側において折畳み線を介して連設され、長辺側と短辺側が係止されるものもある。そして、長辺と短辺に設けられた拡幅部（重ね合わせ部）にファイルする書類や紙を挿入して、書類をファイルさせて保存したり、本やノートのカバーとしても使用される。
【０００３】
次に、コピー用紙に関する特許文献としては次のものが開示されている。
特許文献１は、Ａ列又はＢ列の定形サイズ用紙１をその長手方向に二分するように、用紙中央に沿ってミシン目２が形成されている。用紙中央に形成されたミシン目２に沿って簡単且つ的確に裁断することができ、これにより例えばＡ３サイズの用紙１から２枚のＡ４サイズの用紙３，４を得ることができる。Ａ４サイズの原稿１０，１１を複写する場合、このＡ３サイズの用紙１を用い、複写機の原稿設定部に２枚の原稿を並置して複写することにより、２枚分の原稿内容が複写される。
特許文献２は、定型コピー用紙の一辺に拡幅用紙領域１２を付加してなる拡幅型のコピー用紙１０を用い、該拡幅型のコピー用紙１０のうち定型コピー用紙領域１１を空白にすると共に拡幅用紙領域１２に広告２０を表示してある。
【先行技術文献】
【特許文献】
【０００４】
【特許文献１】特許第３０２８８７９号公報
【特許文献２】特開２００９−１４５１１号公報
【発明の開示】
【発明が解決しようとする課題】
【０００５】
ところで、複写機（コピー機）や複合機では、はがきサイズや封筒サイズのものを手差しトレイから印刷されているが、一般に複写・印刷できる最大はＡ３サイズと認識されている。そして、Ａ３等の所定サイズの規格よりも大きなサイズをコピーすると、紙詰まりになると認識されている。また、ファイルや容器のような厚紙を使用すると紙詰まりになると認識されている。このため、従来公報のように、二枚分を同時に複写・印刷できるとするものや（特許文献１）や定型コピー用紙の一辺に拡幅用紙領域１２を付加してなる拡幅型のコピー用紙１０を用い、拡幅用紙領域１２に広告２０を表示するものが開示されているが（特許文献２）、それ以上にコピー用紙を使用して組み立てられるファイルや容器などは未だ開示されていない。すなわち、紙の大きさや厚紙を使用したり、又は、ミシン目や折畳み線を入れると、その入れ方によっては紙詰まりの危険があり、所定よりも大きいものや折畳み線などの入れからによっては紙詰まりのために、複写機等で多様な印刷が可能にもかかわらず、冊子用ファイルや紙製の容器の複写印刷が行われていない。また、Ａ３のびなどの「のび領域」まで印刷等を施して（のび領域を活用して）組み立てる冊子用ファイルは開発されていない。そのため、Ａ４等の規格サイズの用紙を入れることができるＡ４等の規格のフルサイズの冊子用ファイルを製造することができなかった。
そして、製品としては、正確にＡ４サイズやＢ５サイズなどの規格サイズの大きさの冊子用ファイルとして製造する必要があるが、従来そのような正確な製品として製造することはできなかった。すなわち、複写・印刷が紙の加工サイズや拡幅部（重ね合わせ部）や切取り線（ミシン目）等の施し方によって位置がずれてしまって、正確な複写・印刷ができないなどの問題を有していた。
【０００６】
そこで本発明の目的は、所定サイズに加工した用紙（規格外の大きさの厚紙）を用いて複写機や複合機により複写・印刷して、正確にＡ４サイズやＢ５サイズなどの規格サイズの大きさの冊子用ファイル及びその製造方法を提供することにある。
【課題を解決するための手段】
【０００７】
本発明は、Ａ４サイズやＢ４サイズなどの紙の規格サイズよりも大きな長方形状の紙であって、Ａ４サイズやＢ４サイズなどの紙の規格サイズに対応した箇所よりも外側に拡幅部が設けられているとともに、前記拡幅部にのみ切取り線又は折畳み線が形成されていることを特徴とする冊子用ファイルである。また、Ａ４サイズやＢ４サイズなどの所定の規格サイズよりも大きな長方形状の紙であって、長方形サイズの外周に拡幅部を設けるとともに、前記拡幅部に切取り線や折畳み線を形成して、複写機・複合機により複写・印刷してから、前記拡幅部に沿って切り取ったり折畳むようにして所定サイズの冊子用ファイルとして組み立てることを特徴とする。
本発明によれば、市販の複写機等で複写・印刷した冊子用ファイルを容易に製造することができる。そして、Ａ３等ののび領域まで印刷・複写の行き届いた冊子用ファイルが組立可能になる。
【０００８】
また、本発明は、前記冊子用ファイルは、長方形サイズの隣接する短辺側のＸ辺と長辺側のＹ辺の一方に係止用凸部が設けられており、前記Ｘ辺とＹ辺の他方に対応する係止溝が形成されており、これらを係止してコーナーにポケット部を形成して冊子用ファイルとして組み立てられることを特徴とする。
本発明によれば、Ａ３のびやＢ４のびなどの拡幅部を利用して前記係止用の凸部や係止溝が形成されるので、本来のＡ３サイズやＢ５サイズの領域に前記係止用の凸部や係止溝を形成せずに、本来の領域の複写・印刷に影響を与えることがない。
【０００９】
本発明としては、前記冊子用ファイルは、長方形サイズの隣接する短辺側のＸ辺と長辺側のＹ辺に各々対応する名刺やカードを挟み込むための係止溝が設けられていることを特徴とする。
本発明によれば、Ａ３のびやＢ４のびなどの拡幅部を利用して名刺やカードを挟み込む前記係止溝が形成されるので、本来のＡ３サイズやＢ５サイズの領域に前記係止溝を形成せずに、本来の領域の複写・印刷に影響を与えることがない。
【００１０】
本発明としては、前記冊子用ファイルは、長方形サイズの隣接する短辺側のＸ辺と長辺側のＹ辺の一方に紙製ファイとしての組み立てたときに、表紙側を係止するための係止溝が形成されていることを特徴とする。
本発明によれば、Ａ３のびやＢ４のびなどの拡幅部を利用して表紙側を挟み込む前記係止溝が形成されるので、本来のＡ３サイズやＢ５サイズの領域に前記係止溝を形成せずに、本来の領域の複写・印刷に影響を与えることがない。
【００１１】
本発明としては、Ａ４サイズやＢ４サイズなどの所定の規格サイズにはカラー印刷などの色調等を高めるための印刷用コーティング剤が塗布されていることを特徴とする。
本発明によれば、Ａ４のびなどの拡張領域を利用してＡ４フルサイズ等のＡ４規格の冊子用ファイルを組み立てるが、少なくともＡ４フルサイズの規格大きさ部分には印刷用コーティング剤が塗布されていることにより、その規格サイズ部分の色調が冴える印刷等が可能になる。また、前記拡幅部にのみ切取り線や折畳み線が形成されているので、Ａ４所定サイズの大きさの領域における複写・印刷が切取り線や折畳み線によって影響を受けることがない。
【００１２】
本発明としては、市販の複写機により複写・印刷するに際して、前記長辺側のＹ辺に拡幅部の他に切取り部が設けられており、この切取り部を複写機による複写・印刷方向の前方側にすることを特徴とする。
本発明によれば、前記切取り部、係止凸部や係止溝を複写・印刷方向の前方側にすることにより、市販の複写機にかけると、切取り線やミシン目に沿って切り取りやすくなる。
本発明としては、市販の複写機により印刷するに際して、前記一方の隣接するＸ辺とＹ辺の一方に係止用凸部が設けられており、前記Ｘ辺とＹ辺の他方に対応する係止溝が形成されており、これら係止用凸部と係止溝の位置を印刷方向の後方側にすることを特徴とする。また、前記長辺側のＹ辺に拡幅部の他に切取り部が形成され、前記長辺側のＹ辺に拡幅部の他に切取り部が形成され、この切取り部は末広がりの外側に広がる広い角度でミシン目として鎖状の連結間隔が形成されていることを特徴とする。
本発明によれば、前記切取り部、係止凸部や係止溝を複写・印刷方向の後方側にすることにより、市販の複写機を使用しても、折畳み線や切取り線（ミシン目等）等に起因する紙詰まりを防止するために有効である。
【００１３】
本発明としては、Ａ４サイズやＢ４サイズなどの所定の規格サイズには、カラー印刷などの色調等を高めるための印刷用コーティング剤が塗布され、複写機・複合機による複写・印刷することを特徴とする。
本発明によれば、前記拡幅部にのみ切取り線や折畳み線が形成されているので、Ａ４所定サイズの大きさの領域における複写・印刷が切取り線や折畳み線によって影響を受けることがない。
【発明の効果】
【００１４】
本発明によれば、所定サイズに加工した用紙（規格外の大きさの厚紙）を用いて複写機や複合機により複写・印刷して、正確にＡ４サイズやＢ５サイズなどの規格サイズの大きさの冊子用ファイルを製造することができる。すなわち、Ａ４等の規格サイズの用紙を入れることができるＡ４等の規格のフルサイズの冊子用ファイルを製造できる。そして、紙詰まりには影響がないように、拡幅部（重ね合わせ部）に切取り線（ミシン目）等の施されているために、Ａ４等のフルサイズに複写・印刷を施すことができる。
また、前記拡幅部にのみ切取り線や折畳み線が形成されているので、Ａ４所定サイズの大きさの領域における複写・印刷が切取り線や折畳み線によって影響を受けることがない。
【図面の簡単な説明】
【００１５】
【図１】本発明に係る第１の実施の形態の冊子用ファイルを作るための厚紙を示す平面図である。
【図２】上記第１の実施の冊子用ファイルを折り畳んで組み立てた状態の斜視図である。
【図３】上記第１の実施の冊子用ファイルを折り畳んで組み立てた状態の斜視図である
【図４】上記第１の実施の冊子用ファイルに名刺やカードを差し込んだ状態を示す斜視図である。
【図５】本発明に係る第２の実施の形態の冊子用ファイルを作るための厚紙を示す平面図である。
【図６】上記各実施の形態の差込み用の切欠き線を説明する図である。
【発明を実施するための形態】
【００１６】
以下、本発明を実施するための形態を図に従って説明する。
図１は、本発明の第１の実施の形態を示す平面図であり、図２と図３は、冊子用ファイルを組立状態の斜視図である。本実施の形態では、紙製の冊子用ファイルの例で説明するが、プラスチック製などの合成樹脂製のファイル（クリアファイル）にも適用が可能である。また、段ボール、厚紙、薄紙、合成紙、合成樹脂シート等にも適用可能である。
本実施の形態の冊子用ファイル１は、市販のコピー用紙よりも厚い厚紙を使用して、Ａ３サイズよりも一回り用紙が用いられる。長方形状の用紙を二分するように、用紙中央に沿って折畳み線５ｓが形成されており、この線を介して折りたたむと、Ａ４サイズ部分の表裏２ａ，２ｂが重ね合わされ、厚紙の外周には長辺側のＹ辺拡幅部４と短辺側のＸ辺拡幅部３が設けられており、紙や書類を挟み込む紙製のファイル１である。Ａ３ノビの大きさは通常（329×483）であり、Ａ３の大きさの297×420より大きく、Ｂ３（364×515）より小さいサイズである。なお、紙中央に沿って折畳み線５ｓは、折り畳み線としているが、この折り畳み線は必ずしも必要ではなく、冊子用ファイルを組み立てるときの過程で折り畳んでも良い。
【００１７】
短辺側のＸ辺拡幅部３は、紙の送り幅方向では間隔を大きく４０ｍｍ〜５０ｍｍ程度の大きい差でも良い。長辺側のＹ辺拡幅部４の間隔は２０ｍｍ以下が好ましい。この程度であれば、市販の複写機では紙詰まりの心配はない。長辺側のＹ辺拡幅部４には、ミシン目４ｍと折畳み線５ｓが施されている。５ｍｍ以上であり２０ｍｍ以下でミシン目として鎖状の連結間隔が形成されている。短辺側のＸ辺拡幅部３には、折畳み線５ｓが施されている。
【００１８】
また、前記冊子用ファイル１としての長方形サイズの隣接する短辺側のＸ辺３と長辺側のＹ辺４の一方に係止用凸部３ｍｔが設けられており、前記Ｘ辺とＹ辺の他方に対応する係止溝４ｍｔが形成されている。これらの位置関係は逆の位置になっても良いが、紙の送り側方向（図１の矢印参照）の後方側に形成されており、複写機による紙詰まりに影響を受けないような位置に形成されている。係止用凸部３ｍｔは、円弧形状に形成され、その端部側に切込み３ｍａが形成され、他方、これに対応するＹ辺に拡幅部４Ｂの切り欠き４ｍｔの端部には、切り欠き４ｍａが形成されて、差し込むと、抜け差しを防止する構造である。
また、長辺側のＹ辺に拡幅部４Ｂの他に切取り部４Ａが形成されて、ミシン目４ｍ，４ｍ３により除去することができる。この切取り部４Ａは末広がりの外側に広がる広い角度θ１でミシン目として鎖状の連結間隔が形成されている。そして、前記切取り部４Ａは、内側から外側に広がる広い角度（鈍角）θ１で切り込み（ミシン目）が形成されている。その角度θ１は、１２０度から１５０度程度が好ましい。このような傾斜角度θ１であれば、複写機等にかけても紙詰まりが防止されるのみならず、紙の内側から外側に広がるように適度にミシン目が切り取られて切取りやすくなる。そして、この切取り部４ｍ，４ｍ３としては、その幅が５ｍｍ以上であり２０ｍｍ以下であることが好ましく、前記ミシン目として鎖状の連結間隔が５ｍｍ以上であり２０ｍｍ以下であることが好ましい。剥離防止と、複写機に掛けたときに、所定間隔で、鎖状の連結が切断されて、切り離される状態の両者の均衡から、これらの設定が好ましい。
また、前記短辺側のＸ辺３の切り欠き３ｍ３の角度θ２は、できるだけ小さく、折畳み線５ｓに沿うような線が好ましい（図６（ａ））。つまり図６（ｂ）に示すように、前記差し込みのための切り欠き３ｍ３の傾斜角度θ３に示すように、θ２よりも小さくできるだけ切り欠き線５ｓに沿うような角度しθ３が好ましい。図６（ｃ）は、欠き３ｍ３を略コ字形状として、左右の端部は切り欠きとして、中央はミシン目絵として形成して、紙詰まりを生じないようにした例である。
【００１９】
また、前記短辺側のＸ辺３と長辺側のＹ辺４には、名刺やカードを挟むための名刺やカード用切り欠き４ｍ１，４ｍ２と、これらに対応する切り欠き３ｍ１，３ｍ２が形成されている。したがって、これの切り欠きを使用して、名刺やカード９を縦型や横型に差し込んで冊子用ファイル１に落ちないようにして取付けることができる（図４）。そして、名刺やカード９を挟み込むと、前記係止用凸部３ｍｔ前記係止溝４ｍｔの係止状態が隠れることになる。
名刺やカード入れ用のミシン目としては、２０ｍｍ以下であれば、市販の複写機では紙詰まりの心配はない。ミシン目としては、点線，一点鎖線もしくは二点鎖線等、種々の形態のものが選ばれる。これらの点線等のピッチ間隔等は、必要に応じて適宜設定可能である。前記隣接するＸ辺とＹ辺の一方に係止用凸部が設けられており、前記Ｘ辺とＹ辺の他方に対応する係止溝と、差込み用の切り欠き５ｓが同時に形成される。
また、前記短辺側のＸ辺３には、差し込みのための切り欠き３ｍ３が形成されている。差し込みのための切り欠き３ｍ３は、表紙となる部分２ａの端部を差込むための切り欠きである。紙の複写機に対する送り側に沿うような曲線として切取り線５ｓが形成されているので、紙詰まりが生じることを防止できる。すなわち、円弧状の線であるが、できるだけ送り手側のＸ辺に沿うように形成することで、複写機の紙詰まりが防止できる。また、名刺やカード９を差し込む切り欠き３ｍ１，４ｍ１等は、その長さが２０ｍｍ以下であれば、その切り欠き長さが短いために、紙詰まりには影響がない。
なお、これらの切り欠き３ｍ３、名刺やカード９を差し込む切り欠き３ｍ１，４ｍ１や前記係止用凸部３ｍｔ前記係止溝４ｍｔは、同時に形成することが好ましい。切り欠きのバラツキを防止して、複写機に対する紙詰まりを防止するためである。
【００２０】
次に、複写機や複合機により複写・印刷するときには、市販の複写機により複写・印刷するに際して、前記長辺側のＹ辺に拡幅部の他に切取り部４Ｂが設けられており、この切取り部４Ａを複写機による複写・印刷方向の後方側にする。「手差し」による差し込みで複写機に供給する。複写機に紙１を供給するには、この切取り部４Ｂを複写機による複写・印刷方向の後方側にする（図１の矢印を参照）。
ここで、名刺やカード９を挟み込む切り欠き３ｍ１，４ｍ１等や折畳み線５ｓには、印刷を施さないことが好ましい。
【００２１】
本発明の冊子用ファイルを組み立てるには、Ｙ辺の切取り部４Ｂを切り取って、外周の長辺側のＹ辺拡幅部４Ｂのみ残すことになる。なお、Ｘ辺拡幅部３には変更はなく、長辺側のＹ辺拡幅部４Ａ，４Ｂと短辺側のＸ辺拡幅部３が残り、これらが係止されることになる。
前記長辺側のＹ辺拡幅部の他に切取り部４Ｂが形成され、この切取り部４Ｂは末広がりの外側に広がる広い角度θ１でミシン目として鎖状の連結間隔が形成されており、その角度θ１は４０度から６０度程度が好ましい。
なお、冊子用ファイル用の厚紙１には、離型紙を用いて貼り合わせるようにしても良い。離型紙は、前記Ｘ辺とＹ辺のみを貼り合わせ離型紙でも良い。この離型紙９は、ミシン目や折畳み線おいて接合された印刷用の冊子用ファイルが完成する。
【００２２】
図５は、本発明の第２の実施の形態の冊子用ファイル１を示す図である。
本実施の形態は、折畳み線５ｓが所定幅で形成しており、厚さのある紙や書類でも挟めるようになっている。本のカバーやノートのカバーとして使用することができる。
また、前記Ｙ辺の端部の係止用凸部３ｍｔの部分が切り欠き線により、切除可能なコーナー部７として構成れている。したがって、係止用凸部３ｍｔのために、複写機等にかけたときに紙詰まりが防止できる。さらに、前記切取り部４Ｂの位置には、外周側からの切り欠き５ｋが形成されており、この切り欠き５ｋにより切り取り部４Ｂに沿って切り取りし易くされている。
そして、Ａ４サイズの領域（２ａ，２ｂ）には、カラー印刷などの色調等を高めるための印刷用コーティング剤が塗布されている。印刷する原紙がインクの密着性が悪かったり、適正が無い原紙に対してコーティング剤を塗布することにより、原紙とインクの密着性（接着性）を高めることで印刷複写の際の色調を高めるものであり、アンカーコートとも呼ばれる。色のインク（ペンキ顔料）をＰＰ樹脂に練りこむ方法と、ＰＰ（ポリプロピレン）で出来たファイル表面にアンカーコートで塗布する方法等がある。カラーが良く映えるものするためには、白の顔料やアンカーコートする。透明ファイル（合成樹脂シートで出来他製品）は、透明の顔料やアンカーコートすることになる。複写機・複合機で印刷・複写するときは、少なくともＡ４所定サイズの大きさ（２ａ，２ｂ）の領域には上記アンカーコートを塗布する。そして、複写機・複合機にかけると、カラー印刷などの色調が冴える印刷が可能になる。すなわち、少なくともＡ４所定サイズの大きさの部分（フルのＡ４サイズ部分）には色鮮やかな複写・印刷が可能になる。前記拡幅部にのみ切取り線や折畳み線３ｍ１，３ｍ２，３ｍ３が形成されているので、Ａ４所定サイズの大きさ（２ａ，２ｂ）の領域における複写・印刷が切取り線や折畳み線３ｍ１，３ｍ２，３ｍ３によって影響を受けることがない。なお、Ａ４所定サイズの大きさ（２ａ，２ｂ）の領域以外の部分や全体にアンカーコートを塗布しても良い。
【００２３】
以上、本実施の形態では、Ａ４サイズの大きさの冊子用ファイルを組み立てる例で説明したが、本発明はＡ４サイズに限らず、Ｂ４、Ｂ５等のその他のサイズの冊子用ファイルにも適用可能なものである。また、本発明の冊子用ファイルの製造方法は、市販の複写機・複合機のレーザ印刷機やインクジェット印刷機のほか、近年印刷業界で多用されているようになったプリントオンデマンド（POD）に好適である。
【符号の説明】
【００２４】
１                本発明の冊子用ファイル（複写・印刷用の厚紙）、
３                短辺側のＸ辺拡幅部、３ｍ３  切込み線（ミシン目）、
３ｍ１，３ｍ２    名刺やカードを差込む切込み線、
４，４Ａ，        長辺側のＹ辺拡幅部、
４Ｂ              切取り部、
４ｍ１，４ｍ２    名刺やカードを差込む切込み線、
４ｍ，４ｍ３      切り欠き部（切り欠き）、４ｍ  末広がりのミシン目（切取り線）、
５ｓ              折畳み線、
θ１              末広がりの紙の内側から外側に広がる広い角度、
θ２，θ３        切欠き・切取り線の角度（送り側に沿うような曲線）
【図１】
2018192663.tif 000003
【図２】
2018192663.tif 000004
【図３】
2018192663.tif 000005
【図４】
2018192663.tif 000006
【図５】
2018192663.tif 000007
【図６】
2018192663.tif 000008